(57)【要約】      （修正有）【課題】ダブル針基部の組み合せを備えた引き込み式安全注射器を提供する。【解決手段】引き込み式安全注射器１’はシリンジ１と、針基部と、ニードルヘッドＮと、ピストンＰとからなり、該シリンジ１の前端端部の内壁には、順に長手方向に突出した固定リブとリング状に呈した凹槽が設けられ、該針基部が上針基部４１と下針基部４２からなる。ピストンＰが該シリンジ１の内に設置され、該ピストンＰの前端端部にプランジャＰ３とコネクタＰ１とを連接した封止リングＰ４が嵌められ、該コネクタＰ１の下部の適当な箇所に、導液に受けた圧力を除去するようにホールＰ１１と翼状のパネルＰ１２が設けられ、注射による痛みを減らす及び残留物の生成を避けることができ、ピストンＰの前端の両側に凹槽Ｐ２が設けられて引き込まれる時に便利である。【選択図】図１
0003207965.tif 000002
【実用新案登録請求の範囲】
【請求項１】
シリンジと、上針基部と、下針基部と、ピストンと、針基部コネクタとからなり、
該シリンジの前端の内に該上針基部と該下針基部が設置され、ニードルヘッドが該上針基部の上に固着され、該シリンジの下方に該ピストンが設置され、該ピストンが封止リングと該針基部コネクタを連接した引き込み式安全注射器において、
該シリンジの内の前端端部の壁に順に長手方向に突出した固定リブとリング状に呈した凹槽が設けられ、
針基部が該上針基部と該下針基部からなり、
該下針基部が円筒状に呈し、該下針基部の上端面に上端槽が設けられ、
該上端槽の上ポートの内壁がテーパー形状に呈し、
該上端槽の内底面中央部に下端槽が周設され、
該下端槽の内壁の上端部に１つのリング状に呈したフランジが設けられ、
該下端槽の内壁の下端に１つの封止凹槽が設けられ、
該下針基部の下端面がテーパー形状に呈し、
該下針基部のテーパー形状に呈した下端面の中央に下端槽の底面と連通した１つの孔が設けられ、
該下針基部の外壁の下端に１つのリング状に呈したエッジが設けられ、
該上針基部が導液管と導液管の中間部の外壁に固着されたニードルヘッドシートから形成され、
該導液管の下端端部の外壁に１つのリング状に呈したエッジが設けられ、
該導液管の下ポートがテーパー形状に呈し、
該ニードルヘッドシートの内壁に内ねじ山が設けられ、
該上針基部が該下針基部の内に嵌装され、
該上針基部の導液管の下端端部の外壁に設けられたリング状に呈したエッジが該下針基部の下端槽の内壁の下端にある封止凹槽の内に嵌装されて封止接続に形成され、
該上針基部の導液管の下端部が該下針基部の下端槽の内壁の上端部にあるリング状に呈したフランジと配合して連接し、該上針基部にあるニードルヘッドシートと該下針基部の上端面にあるテーパー形状に呈した上ポートの上端槽と配合して連接し、該上針基部と下針基部からなる針基部が該シリンジの前端端部の内に装着され、該上針基部のニードルヘッドシートの外壁と該シリンジの前端端部の内壁にある長手方向に突出した固定リブとが締まって連接固着され、
該下針基部の外壁の下端にあるリング状に呈したエッジと該シリンジの前端端部の内壁にあるリング状に呈した凹槽とが嵌設されて連接固着され、該ニードルヘッドがニードルヘッドシートの内壁にある内ねじ山と螺接したことを特徴とするダブル針基部の組み合せを備えた引き込み式安全注射器。
【請求項２】
該ピストンを連接した針基部コネクタの下部の適当箇所にホールが設けられ、且つ２つの翼状のパネルが設けられたことを特徴とする請求項１に記載のダブル針基部の組み合せを備えた引き込み式安全注射器。
【請求項３】
該針基部コネクタのホールの設計が注射の時に圧力による痛みを避けられることを特徴とする請求項１に記載のダブル針基部の組み合せを備えた引き込み式安全注射器。
【請求項４】
該針基部コネクタの２つの翼状のパネルの設計が注射液の残留物の生成を避けられることを特徴とする請求項１に記載のダブル針基部の組み合せを備えた引き込み式安全注射器。
【考案の詳細な説明】
【技術分野】
【０００１】
本考案はダブル針基部の組み合せを備えた引き込み式安全注射器に関し、特に引き込み式安全注射器の構成に関する。
【背景技術】
【０００２】
現在、市場に販売されている引き込み式安全注射器について、普遍的に下記の問題が存在している。該引き込み式安全注射器の針基部の本体が固くなく、その支持力が不足であり、組立不良の問題が容易に発生され、使用に影響し、該引き込み式安全注射器のニードルヘッドと針基部はともに粘着された針であり、ニードルヘッドが欠陥を有する場合にはニードルヘッドの交換ができず、さらに包装後のサイズが長すぎで輸送の過程にかなり不便になり、該引き込み式安全注射器の針基部がシリンジに装着された後の結合は堅固ではなく、針をロックする時に針基部が容易にシリンジの内に引き込まれる。要するに、該引き込み式安全注射器の上記の理由の存在で該引き込み式安全注射器の組み立て工程が複雑になり、簡単で大量生産できず、製品不良率がちょっと高すぎ、生産効率が低減し、加工コストも高くなり、市場で受け入れられることが困難であり、市場競争力が低下させる。
【先行技術文献】
【特許文献】
【０００３】
【特許文献１】特開2015-104665号公報
【考案の概要】
【考案が解決しようとする課題】
【０００４】
本考案の主な目的は、使用に安全で信頼でき、構成が合理で組み立て効率が高くなるダブル針基部の組み合せを備えた引き込み式安全注射器を提供することにある。
【課題を解決するための手段】
【０００５】
上述した目的を達成するために、本考案に係る引き込み式安全注射器は、シリンジと、該シリンジの前端端部内に設置されて前端部が該シリンジの前端端部の外に伸びた針基部と、該針基部の上に固着したニードルヘッドと、該シリンジの内に納置された前端端部に１つの封止リングが嵌めたピストンと、を含み、該ピストンの前端端部の端面に１つの針基部コネクタが設けられ、該シリンジの内の前端端部の壁に順に長手方向に突出した固定リブとリング状に呈した凹槽が設けられ、該針基部が上針基部と下針基部からなり、該下針基部が円筒状に呈し、該下針基部の上端面に１つの上端槽が設けられ、該上端槽の上ポートの内壁がテーパー形状に呈し、該上端槽の内底面中央部にさらに１つの下端槽が設けられ、該下端槽の内壁の上端部に１つのリング状に呈したフランジが設けられ、該下端槽の内壁の下端に１つの封止凹槽が設けられ、該下針基部の下端面がテーパー形状に呈し、該下針基部のテーパー形状に呈した下端面の中央に下端槽の底面と連通した１つの孔が設けられ、該下針基部の外壁の下端に１つのリング状に呈したエッジが設けられ、該上針基部が導液管と導液管の中間部の外壁に固着されたニードルヘッドシートから形成され、該導液管の下端端部の外壁に１つのリング状に呈したエッジが設けられ、該導液管の下ポートがテーパー形状に呈し、該ニードルヘッドシートの内壁に内ねじ山が設けられ、該上針基部が該下針基部の内に嵌装され、該上針基部の導液管の下端端部の外壁に設けられたリング状に呈したエッジが該下針基部の下端槽の内壁の下端にある封止凹槽の内に嵌装されて封止接続に形成され、該上針基部の導液管の下端部が該下針基部の下端槽の内壁の上端部にあるリング状に呈したフランジと配合して連接し、該上針基部のニードルヘッドシートと該下針基部の上端面にあるテーパー形状に呈した上ポートの上端槽と配合して連接し、該上針基部と下針基部からなる針基部が該シリンジの前端端部の内に装着され、該上針基部のニードルヘッドシートの外壁と該シリンジの前端端部の内壁にある長手方向に突出した固定リブとが締まりばめされて連接固着され、該下針基部の外壁の下端にあるリング状に呈したエッジと該シリンジの前端端部の内壁にあるリング状に呈した凹槽とが嵌設されて連接固着され、該ニードルヘッドがニードルヘッドシートの内壁にある内ねじ山と螺接した。
【考案の効果】
【０００６】
本考案は従来の引き込み式安全注射器を改善し、本考案の引き込み式安全注射器の針基部が上針基部と下針基部に分解され、該上針基部が上端槽と下端槽に分解され、該上端槽の上ポートの内壁がテーパー形状に呈し、該下端槽の内壁の上端部にリング状に呈したフランジが設けられ、内壁の下端に封止凹槽が設けられ、該下針基部の外壁の下端にリング状に呈したフランジが設けられ、該上針基部が、下端端部の外壁にリング状に呈したフランジが設けられ導液管と導液管の中間部の外壁に固着されて内壁に内ねじ山が設けられたニードルヘッドシートから形成され、該上針基部が該下針基部に嵌装され、該下針基部の上にある構成と互いに合わせて封止接続に形成したため、該上針基部と下針基部とを組み合わせた針基部本体がもっと堅固になり、その支持力が向上させ、該上針基部にあるニードルヘッドシートがニードルヘッドと螺接したため、その着脱が便利で交換を容易に行わせ、組み合わせた上針基部と下針基部が該シリンジの内の前端端部の後ろに取り付け、該上針基部と該シリンジの前端端部の内壁に長手方向に突出した固定リブと締まりばめされて連接され、該下針基部の外壁にあるリング状に呈したエッジと該シリンジの前端端部の内壁にあるリング状に呈した凹槽とが嵌設されて連接固着されたため、針基部が引き込まれた状況を避けられる。
【０００７】
上記により、本考案のダブル針基部の組み合せを備えた引き込み式安全注射器は、従来の問題を充分に改善し、本考案の構成が合理であり、組み立てが便利で、その歩留まりを向上させ、生産効率が向上し、生産と加工コストが低減し、使用にもっと安全で信頼できる。
【図面の簡単な説明】
【０００８】
【図１】本考案のダブル針基部の組み合せを備えた引き込み式安全注射器を示す図である。
【図２】本考案のダブル針基部の組み合せを備えた引き込み式安全注射器のシリンジを示す図である。
【図３】本考案のダブル針基部の組み合せを備えた引き込み式安全注射器の下針基部を示す図である。
【図４】本考案のダブル針基部の組み合せを備えた引き込み式安全注射器の上針基部を示す図である。
【図５】本考案の上針基部、下針基部、コネクタ、ピストン、ニードルヘッドがシリンジの内に組み立てられる状態を示す図である。
【考案を実施するための形態】
【実施例】
【０００９】
本考案はダブル針基部の組み合せを備えた引き込み式安全注射器であり、図１、図２、図３、図４、及び図５を参照し、引き込み式安全注射器１’はシリンジ１と、針基部４と、ニードルヘッドＮと、ピストンＰとからなり、該シリンジ１の前端端部の内壁には、順に長手方向に突出した固定リブ２とリング状に呈した凹槽３が設けられ、該針基部４が上針基部４１と下針基部４２からなる。
【００１０】
該下針基部４２が円筒状に呈し、該下針基部４２の上端面に１つの上端槽５１が設けられ、該上端槽５１の上ポートの内壁がテーパー形状６に呈し、該上端槽５１の内底面中央部にさらに１つの下端槽５２が設けられ、該下端槽５２の内壁の上端部に１つのリング状に呈したフランジ７が設けられ、該下端槽５２の内壁の下端に１つの封止凹槽８が設けられ、該下針基部４２の下端面がテーパー形状９に呈し、該下針基部４２のテーパー形状９に呈した下端面の中央に下端槽５２の底面と連通した１つの孔１０が設けられ、該下針基部４２の外壁の下端に１つのリング状に呈したエッジ１１が設けられた。
【００１１】
該上針基部４１が導液管１２と導液管１２の中間部の外壁に固着されたニードルヘッドシート１３から形成され、該導液管１２の下端端部の外壁に１つのリング状に呈したエッジ１４が設けられ、該導液管１２の下ポートがテーパー形状に呈し、該ニードルヘッドシート１３の内壁に内ねじ山１５が設けられた。
【００１２】
該上針基部４１が該下針基部４２の内に嵌装され、該上針基部４１の導液管１２の下端端部の外壁に設けられたリング状に呈したエッジ１４ が該下針基部４２の下端槽５２の内壁の下端にある封止凹槽８の内に嵌装されて封止接続に形成され、該上針基部４１ の導液管１２の下端部が該下針基部４２の下端槽の内壁の上端部にあるリング状に呈したフランジ７と配合して連接し、該上針基部４１のニードルヘッドシート１３と該下針基部４２の上端面にあるテーパー形状６に呈した上ポートの上端槽５１と配合して連接した。
【００１３】
該上針基部４１と下針基部４２からなる針基部が該シリンジ１の前端端部の内に装着され、該上針基部４１にある導液管１２の前端部が該シリンジの前端端部の外に伸び、該上針基部４１のニードルヘッドシート１３の外壁と該シリンジ１の前端端部の内壁にある長手方向に突出した固定リブ２とが締まりばめされて連接固着され、該下針基部４２の外壁の下端にあるリング状に呈したエッジＵと該シリンジ１の前端端部の内壁にあるリング状に呈した凹槽３とが嵌設されて連接固着され、該ニードルヘッドが該上針基部４１にあるニードルヘッドシート１３の内壁にある内ねじ山１５と螺接した。
【００１４】
図１と図３〜５を参照し、ピストンPが該シリンジ１の内に設置され、該ピストンPの前端端部にプランジャＰ３とコネクタＰ１とを連接した封止リングＰ４が嵌められ、該コネクタＰ１の下部の適当な箇所に、導液に受けた圧力を除去するようにホールＰ１１と翼状のパネルＰ１２が設けられ、注射による痛みを減らす及び残留物の生成を避けることができ、ピストンＰの前端の両側に凹槽Ｐ２が設けられて引き込まれる時に折りに便利であり、図５に示すように、上針基部４１、下針基部４２、コネクタＰ１、ピストンＰ、ニードルヘッドＮがシリンジ１に進入され、ピストンＰと連接したコネクタＰ１が４２の１０の内に挿入した時、下方向Ｐ’へ引き込まれてそのニードルヘッドＮも引き込まれ、本考案の無菌引き込み式で環境に優しい引き込み式安全注射器１’の製品である。
【００１５】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００１６】
１’  引き込み式安全注射器
１  シリンジ
２  固定リブ
３  凹槽
４１  上針基部
４２  下針基部
５１  上端槽
５２  下端槽
６，９  テーパー形状
７  リング状に呈したフランジ
８  封止凹槽
１０  孔
１１，１４  リング状に呈したエッジ
１２  導液管
１３  ニードルヘッドシート
１５  内ねじ山
Ｎ  ニードルヘッド
Ｐ  ピストン
Ｐ’  下方向
Ｐ１  針基部コネクタ
Ｐ２  凹槽
Ｐ１１  ホール
Ｐ１２  翼状のパネル
Ｐ３  プランジャ
Ｐ４  封止リング
【図１】
0003207965.tif 000003
【図２】
0003207965.tif 000004
【図３】
0003207965.tif 000005
【図４】
0003207965.tif 000006
【図５】
0003207965.tif 000007
【手続補正書】
【提出日】平成28年10月11日(2016.10.11)
【手続補正１】
【補正対象書類名】実用新案登録請求の範囲
【補正対象項目名】請求項３
【補正方法】変更
【補正の内容】
【請求項３】
該針基部コネクタの下部に設けられたホールの設計が注射の時に圧力による痛みを避けられることを特徴とする請求項１に記載のダブル針基部の組み合せを備えた引き込み式安全注射器。
【手続補正２】
【補正対象書類名】実用新案登録請求の範囲
【補正対象項目名】請求項４
【補正方法】変更
【補正の内容】
【請求項４】
該針基部コネクタの下部に設けられた２つの翼状のパネルの設計が注射液の残留物の生成を避けられることを特徴とする請求項１に記載のダブル針基部の組み合せを備えた引き込み式安全注射器。